(57)【特許請求の範囲】
【請求項１】
時間軸上の信号を、周波数軸上の複数の周波数における信号に変換する変換部と、
前記複数の周波数に対して共通の係数を用いて、送信電力を制御する制御部と、
前記複数の周波数における信号を、時間軸上の信号に逆変換する逆変換部と、
逆変換された前記信号を、制御された前記送信電力で送信する送信部と、
を有する無線送信装置。
【請求項２】
時間軸上の信号を、周波数軸上の複数の周波数における信号に変換する変換部と、 
前記複数の周波数の各周波数に対して個別の係数を用いて、送信電力を制御する制御部と、
前記複数の周波数における信号を、時間軸上の信号に逆変換する逆変換部と、
逆変換された前記信号を、制御された前記送信電力で送信する送信部と、
を有する無線送信装置。
【請求項３】
前記複数の周波数は、シングルキャリアの帯域を構成する、
請求項１又は２に記載の無線送信装置。
【請求項４】
前記複数の周波数の各周波数は、サブキャリア又は通信帯域を分割したサブバンドに相当する、
請求項１又は２に記載の無線送信装置。
【請求項５】
伝搬路情報を受信する受信部、をさらに有し、
前記制御部は、前記伝搬路情報と前記係数とを用いて、送信電力を制御する、
請求項１から４のいずれかに記載の無線送信装置。
【請求項６】
前記制御部は、伝搬路情報に基づく前記複数の周波数の各周波数に対して個別の値と、前記共通の係数とを用いて、前記送信電力を制御する、
請求項１に記載の無線送信装置。
【請求項７】
前記制御部は、伝搬路情報に基づいて設定された前記複数の周波数の各周波数に対して個別の値と、伝搬路情報に基づいて設定された前記共通の係数と、を用いて、前記送信電力を制御する、
請求項１に記載の無線送信装置。
【請求項８】
送信電力を制御された前記信号が、通信相手において受信された場合に予測される受信誤り率を表す関数に従って、前記係数を導出する導出部、をさらに有する、
請求項１から７のいずれかに記載の無線送信装置。
【請求項９】
前記導出部は、前記関数を用いて、前記受信誤り率を最小にする前記係数を得る、
請求項８記載の無線送信装置。
【請求項１０】
周波数等化アルゴリズム情報を受信する受信部、をさらに有し、
前記制御部は、前記周波数等化アルゴリズム情報に基づいて、前記複数の周波数における信号の送信電力を制御する、
請求項１から９のいずれかに記載の無線送信装置。
【請求項１１】
複数の周波数における信号を、時間軸上の信号に変換して送信された信号であって、前記複数の周波数に対して共通の係数、又は、前記複数の周波数の各周波数に対して個別の係数、を用いて制御された送信電力で送信された前記信号を受信する受信部と、
受信された前記信号を、周波数軸上の信号に変換する変換部と、
変換された前記信号に周波数等化処理を施す周波数等化処理部と、
周波数等化処理を施された前記信号を時間軸上の信号に逆変換する逆変換部と、
を有する無線受信装置。
【請求項１２】
時間軸上の信号を、周波数軸上の複数の周波数における信号に変換し、 
前記複数の周波数に対して共通の係数、又は、複数の周波数の各周波数に対して個別の係数、を用いて、前記複数の周波数における信号の送信電力を制御し、
前記複数の周波数における信号を、時間軸上の信号に逆変換し、
逆変換された前記信号を、制御された前記送信電力で送信する、
無線送信方法。
【請求項１３】
複数の周波数における信号を、時間軸上の信号に変換して送信された信号であって、前記複数の周波数に対して共通の係数、又は、前記複数の周波数の各周波数に対して個別の係数、を用いて制御された送信電力で送信された前記信号を受信し、
受信された前記信号を、周波数軸上の信号に変換し、
変換された前記信号に周波数等化処理を施し、
周波数等化処理を施された前記信号を時間軸上の信号に逆変換する、
無線受信方法。
【発明の詳細な説明】
【技術分野】
【０００１】
本発明は、無線送信装置、無線受信装置、無線送信方法および無線受信方法に関し、特に、周波数等化シングルキャリア伝送システムにて用いられる無線送信装置、無線受信装置、無線送信方法および無線受信方法に関する。
【背景技術】
【０００２】
近年、次世代移動体通信システム向けに、周波数等化シングルキャリア伝送システムが検討されている。周波数等化シングルキャリア伝送システムでは、時間軸方向に配置されたデータシンボルがシングルキャリアで伝送される。受信機は、伝送路における信号の歪みを周波数軸上で等化するための周波数等化処理を行う。周波数等化処理によって、その歪みは補正される。より具体的には、周波数軸上で周波数毎にチャネル推定値を算出し、周波数毎に伝搬路歪みを等化するための重み付けを行う。そして、受信したデータを復調する（例えば、非特許文献１参照）。
【非特許文献１】"Frequency Domain Equalization for single-Carrier Broadband Wireless Systems", IEEE Communications Magazine, April 2002, pp.58-66
【発明の開示】
【発明が解決しようとする課題】
【０００３】
しかしながら、上記従来の周波数等化シングルキャリア伝送システムにおいては、周波数毎に特性が異なる伝搬路の影響により、使用帯域内のいずれかの周波数の受信電力が送信電力に比べて大幅に低下することがある。この場合、その低下分だけ、送信された信号に割り当てられた送信電力が無駄になってしまう。このため、受信機の受信誤り率特性の向上に一定の限界がある。
【０００４】
本発明の目的は、受信機の受信誤り率特性を向上させることができる無線送信装置、無線受信装置、無線送信方法および無線受信方法を提供することである。
【課題を解決するための手段】
【０００５】
本発明の無線送信装置は、時間軸上の信号を周波数軸上の信号に変換する変換手段と、変換された信号の送信電力を周波数軸上で制御する制御手段と、送信電力を制御された信号を時間軸上の信号に逆変換する逆変換手段と、逆変換された信号をシングルキャリアで送信する送信手段と、を有する構成を採る。
【０００６】
本発明の無線受信装置は、シングルキャリアで送信された時間軸上の信号を周波数軸上の信号に変換する変換手段と、変換された信号に対して施す周波数等化処理のアルゴリズムを決定する決定手段と、決定されたアルゴリズムを示す周波数等化アルゴリズム情報を生成する生成手段と、生成された周波数等化アルゴリズム情報を通信相手装置に送信する送信手段と、を有する構成を採る。
【０００７】
本発明の無線送信方法は、時間軸上の信号を周波数軸上の信号に変換する変換ステップと、変換した信号の送信電力を周波数軸上で制御する制御ステップと、送信電力を制御した信号を時間軸上の信号に逆変換する逆変換ステップと、逆変換した信号をシングルキャリアで送信する送信ステップと、を有するようにした。
【０００８】
本発明の無線受信方法は、シングルキャリアで送信された時間軸上の信号を周波数軸上の信号に変換する変換ステップと、変換した信号に対して施す周波数等化処理のアルゴリズムを決定する決定ステップと、決定したアルゴリズムを示す周波数等化アルゴリズム情
報を生成する生成ステップと、生成した周波数等化アルゴリズム情報を通信相手装置に送信する送信ステップと、を有するようにした。
【発明の効果】
【０００９】
本発明によれば、受信機の受信誤り率特性を向上させることができる。
【発明を実施するための最良の形態】
【００１０】
以下、本発明の実施の形態について、図面を用いて詳細に説明する。
【００１１】
（実施の形態１）
図１は、本発明の実施の形態１に係る無線送信装置の構成を示すブロック図である。図２は、図１の無線送信装置１００と無線通信を行う無線受信装置の構成を示すブロック図である。
【００１２】
なお、本発明は、使用するシングルキャリアの帯域に複数の周波数が含まれる移動通信システムに適用することができるが、本実施の形態および後続の実施の形態では、その説明の便宜上、帯域に含まれる周波数の数を４つと仮定する。また、本実施の形態および後続の実施の形態では、使用するシングルキャリアの帯域内の各周波数（または各周波数帯）を、通信帯域における仮想的なサブキャリアとみなして扱うことができる。また、通信帯域を細分化したサブバンドとみなして扱うこともできる。
【００１３】
無線送信装置１００は、送信信号を変調する変調部１０１と、時間軸上の信号から周波数軸上の信号に変換するＦＦＴ（Fast Fourier Transform）処理を、変調された送信信号に対して施すＦＦＴ部１０２と、ＦＦＴ処理を施された送信信号の送信電力を周波数軸上で制御する制御部１０３と、周波数軸上の信号を時間軸上の信号に逆変換するＩＦＦＴ（Inverse Fast Fourier Transform）処理を、送信電力を制御された送信信号に対して施すＩＦＦＴ部１０４と、ＩＦＦＴ処理を施された送信信号の所定位置にＣＰ（Cyclic Prefix）を付加するＣＰ処理部１０５と、Ｄ／Ａ変換やアップコンバートなどを含む所定の送信無線処理を、ＣＰを付加された送信信号に対して施し、送信無線処理を施された送信信号をアンテナ１０７を介してシングルキャリアで送信する送信ＲＦ部１０６と、アンテナ１０７を介して無線信号を受信し、受信した無線信号に対してダウンコンバートやＤ／Ａ変換などを含む所定の受信無線処理を施す受信ＲＦ部１０８と、を有する。
【００１４】
また、制御部１０３は、乗算部１１１、１１２、送信電力制御部１１３、重み係数制御部１１４および重み係数導出部１１５を有する。重み係数導出部１１５は、伝搬路情報抽出部１１６、アルゴリズム情報抽出部１１７および誤り率特性予測部１１８を有する。
【００１５】
重み係数導出部１１５において、アルゴリズム情報抽出部１１７は、受信無線処理を施
された信号（以下「受信信号」と言う）から、後述する周波数等化アルゴリズム情報を抽出する。伝搬路情報抽出部１１６は、受信信号から、後述する伝搬路情報を抽出する。誤り率特性予測部１１８は、送信電力を制御された信号が送信された場合における無線受信装置１５０の受信誤り率特性を、抽出された周波数等化アルゴリズム情報および伝搬路情報に基づいて予測し、その予測結果を用いて、送信電力制御の重み付けを行うための重み係数を導出する。
【００１６】
抽出された伝搬路情報および導出された重み係数はそれぞれ送信電力制御部１１３および重み係数制御部１１４によって制御され、乗算部１１２で互いに乗算される。ＦＦＴ処理を施された送信信号の送信電力は、乗算部１１２による乗算の結果として得られた値となるように、乗算部１１１によって周波数毎に補正される。
【００１７】
図２に示す無線受信装置１５０は、アンテナ１５１、受信ＲＦ部１５２、ＣＰ除去部１５３、ＦＦＴ部１５４、チャネル推定部１５５、周波数等化部１５６、ＩＦＦＴ部１５７、復調部１５８、アルゴリズム決定部１５９、アルゴリズム情報生成部１６０、送信ＲＦ部１６１および伝搬路情報生成部１６２を有する。
【００１８】
受信ＲＦ部１５２は、アンテナ１５１を介して無線信号を受信し、この信号に対して、ダウンコンバートやＡ／Ｄ変換などを含む所定の受信無線処理を施す。ＣＰ除去部１５３は、受信信号の所定位置に付加されたＣＰを除去する。ＦＦＴ部１５４は、時間軸上の信号を周波数軸上の信号に変換するＦＦＴ処理を、ＣＰを除去された受信信号に対して施す。チャネル推定部１５５は、ＦＦＴ処理を施された受信信号の中のパイロット信号を用いてチャネル推定を行う。
【００１９】
アルゴリズム決定部１５９は、上位レイヤからの指示に従って、周波数等化処理のアルゴリズムを決定し、決定したアルゴリズムを周波数等化部１５６およびアルゴリズム情報生成部１６０に通知する。周波数等化処理のアルゴリズムとしては、例えば、ＭＭＳＥ（Minimum Mean Square Error）法、ＭＲＣ（Maximal Rate Combining）法、ＯＲＣ（Orthogonality Restoring Combining）法、ＥＧＣ（Equal Gain Combining）法などが挙げられる。
【００２０】
周波数等化部１５６は、通知されたアルゴリズムに従って、また、チャネル推定の結果を用いて、周波数等化処理を、ＦＦＴ処理を施された受信信号に対して施す。
【００２１】
ＩＦＦＴ部１５７は、周波数軸上の信号を時間軸上の信号に逆変換するＩＦＦＴ処理を、周波数等化処理を施された受信信号に対して施す。復調部１５８は、ＩＦＦＴ処理を施された受信信号を復調する。
【００２２】
アルゴリズム情報生成部１６０は、決定されたアルゴリズムを無線送信装置１００に報告すべく、決定されたアルゴリズムを示す周波数等化アルゴリズム情報を生成する。伝搬路情報生成部１６２は、ＣＰを除去された受信信号から、伝搬路における周波数毎の電力ゲインを無線送信装置１００に報告するための伝搬路情報を生成する。
【００２３】
送信ＲＦ部１６１は、生成された周波数等化アルゴリズム情報および伝搬路情報に対して、Ｄ／Ａ変換やアップコンバートなどを含む所定の送信無線処理を施し、送信無線処理を施された周波数等化アルゴリズム情報および伝搬路情報をアンテナ１５１を介して無線送信装置１００に送信する。
【００２４】
次いで、無線送信装置１００の制御部１０３における送信電力制御動作について説明する。図３は、制御部１０３の動作を説明するフロー図である。
【００２５】
まず、ステップＳ１では、伝搬路情報抽出部１１６で、受信信号から伝搬路情報を抽出する。ここで、伝搬路情報は、スカラー値としてＨｋ（ｋは周波数番号）で示される。また、アルゴリズム情報抽出部１１７で、受信信号から周波数等化アルゴリズム情報を抽出する。
【００２６】
そして、ステップＳ２では、誤り率特性予測部１１８で、送信電力を制御された送信信号が送信されたときの無線受信装置１５０における誤り率特性を予測する。この予測の結果として、予測された受信誤り率ＥＲを表す関数を取得する。つまり、重み係数をスカラー値としてＷで表すと、予測された受信誤り率ＥＲは、次の式（１）によって表現される。
ＥＲ＝ｆ（Ｗ）  …（１）
【００２７】
このように、無線受信装置１５０から送信された周波数等化アルゴリズム情報に基づいて、使用する重み係数Ｗの導出のベースとなる関数ｆ（Ｗ）を取得するため、周波数等化アルゴリズム情報に示されたアルゴリズムに応じた最適な関数を用いて重み係数Ｗを導出することができる。
【００２８】
そして、ステップＳ３では、誤り率特性予測部１１８で、送信電力制御に用いる重み係数Ｗを、上記の式（１）を用いて算出する。すなわち、式（１）の関数ｆ（Ｗ）に所定の最適化手法を適用し、受信誤り率ＥＲを最適化する重み係数ＷＭＩＮ＿ＥＲを算出する。より具体的には、図４に示すように、受信誤り率ＥＲを最小の値ＭＩＮ＿ＥＲにする重み係数ＷＭＩＮ＿ＥＲを算出する。すなわちこの場合、重み係数ＷＭＩＮ＿ＥＲは、Ｗ＝ａｒｇｍｉｎ（ｆ（Ｗ））の演算によって算出される。
【００２９】
ここで、図４は、関数ｆ（Ｗ）の一例を示したものである。図示された関数ｆ（Ｗ）においては、例えば重み係数ＷがＷ＝０に設定された場合は、図５Ａに示すように送信信号の送信電力が周波数軸上では全く制御されない。また、例えば重み係数Ｗが０＜Ｗ＜１の範囲内の適切な値に設定された場合は、図５Ｂに示すように、送信信号の送信電力が、伝搬路における信号のゲインよりも小さい値で制御され、これによって、予測される受信誤り率ＥＲは、送信電力制御が行われない場合に比べて低減する。また、例えば重み係数ＷがＷ＝１に設定された場合は、図５Ｃに示すように、送信信号の送信電力が、伝搬路における信号のゲインと同じ値で制御される。つまり最大比送信が行われることとなる。この場合に予測される受信誤り率ＥＲは、重み係数Ｗが０＜Ｗ＜１の範囲内の適切な値に設定された場合に比べて上昇する。
【００３０】
そして、算出された重み係数ＷＭＩＮ＿ＥＲは、重み係数制御部１１４に通知される。重み係数制御部１１４では、通知された重み係数ＷＭＩＮ＿ＥＲを制御し、乗算部１１２に出力する。また、ステップＳ１で抽出された伝搬路情報Ｈｋは送信電力制御部１１３に通知される。送信電力制御部１１３では、伝搬路情報Ｈｋを制御し、乗算部１１２に出力する。
【００３１】
そして、ステップＳ４では、乗算部１１２で、伝搬路情報Ｈｋに重み係数ＷＭＩＮ＿ＥＲを乗算する。この乗算により、送信電力制御に重み付けがなされる。また、乗算の結果として、次の式（２）に示すように、使用帯域内の各周波数に対応付けられた送信電力Ｐｋが得られる。
Ｐｋ＝ＷＭＩＮ＿ＥＲ×Ｈｋ  …（２）
【００３２】
そして、ステップＳ５では、乗算部１１２で、送信信号の周波数軸上の送信電力を送信電力Ｐｋで補正する。
【００３３】
このように、本実施の形態によれば、無線送信装置１００において、シングルキャリアで送信される時間軸上の信号を周波数軸上の信号に変換し、その送信電力を周波数軸上で制御するため、シングルキャリアで送信される信号に割り当てられた送信電力を有効利用することができ、無線受信装置１５０の受信誤り率を向上させることができる。
【００３４】
また、本実施の形態によれば、無線受信装置１５０において、決定された周波数等化アルゴリズムを示す情報を生成して送信するため、周波数等化アルゴリズムを無線送信装置１００に通知することができ、重み係数Ｗを関数ｆ（Ｗ）から導出する無線送信装置１００がそのアルゴリズムに応じた最適な関数ｆ（Ｗ）を取得することができ、その結果、受信誤り率特性を向上させることができる。すなわち、無線受信装置１５０における受信系（受信ＲＦ部１５２、ＣＰ除去部１５３、ＦＦＴ部１５４、チャネル推定部１５５、周波数等化部１５６、ＩＦＦＴ部１５７および復調部１５８）自体に特別な構成を加えることなく、周波数等化アルゴリズムを無線送信装置１００に報告するための簡単な構成を加えるだけで、受信誤り率特性を向上させることができる。
【００３５】
また、本実施の形態によれば、送信電力を制御された信号が無線受信装置１５０に送信された場合に予測される受信誤り率ＥＲを表す関数ｆ（Ｗ）を用いて係数Ｗを導出するため、送信電力制御に起因する信号歪みを考慮して最適な送信電力制御を行うことができる。
【００３６】
すなわち、本実施の形態では、送信電力制御を重み付けする重み係数Ｗを、受信誤り率ＥＲの変動を予測した上で探索する。こうすることで、送信電力が過剰に補正されることを防止することができる。
【００３７】
ちなみに、例えばマルチキャリア伝送での送信電力制御技術の一例では、伝搬路の変動と常時同じレベルで周波数軸上での送信電力制御が行われる、つまり最大比送信が行われる。この場合、受信機側では、各周波数での受信電力が、伝搬路の変動の２乗の変動となって現れる。このように周波数軸上で電力のばらつきを著しく増大させることは、シングルキャリア伝送においては、かえって受信誤り率を劣化させる要因となり得る。換言すれば、送信電力制御に起因する誤り率特性の劣化が、最大比送信による誤り率特性改善効果を上回ってしまう場合があり得る。しかしながら本実施の形態では、送信電力制御に起因する誤り率特性の変動を予測しておくことで、送信電力制御に起因する誤り率特性の劣化が誤り率特性改善効果を下回るような最適な重み係数Ｗを導き出すことができ、その結果として、無線受信装置１５０の受信誤り率ＥＲを確実に改善することができる。
【００３８】
また、本実施の形態によれば、予測される受信誤り率ＥＲが最小となる重み係数ＷＭＩＮ＿ＥＲを用いて送信電力を制御することができ、無線受信装置１５０の受信誤り率を最小にすることができる。
【００３９】
また、本実施の形態によれば、シングルキャリアの帯域に含まれる周波数の間で共通に設定された重み係数Ｗと伝搬路情報Ｈｋとから最適な送信電力を得ることができ、送信電力制御を最適に重み付けすることができる。
【００４０】
なお、本実施の形態では、前述のとおり、重み係数Ｗを周波数間で共通な値に設定するが、重み係数を周波数毎に個別に設定（すなわち、各周波数に対応付けられた重み係数Ｗｋを導出）しても良い。
【００４１】
また、本実施の形態では、重み係数Ｗを、受信誤り率ＥＲに係る関数を用いて導き出している。しかし、重み係数Ｗの導出方法は、上記のものに限定されず、他の適切なパラメ
ータに基づくものであっても良い。他の適切なパラメータは、無線受信装置１５０から送信される既存または新規の情報もしくは無線送信装置１００で測定、算出または設定される既存または新規の情報であり得る。
【００４２】
また、本実施の形態では、時間軸上の信号を周波数軸上の信号に変換するための処理としてＦＦＴ処理を、周波数軸上の信号を時間軸上の信号に逆変換するための処理としてＩＦＦＴ処理を、それぞれ採用している。ただし、採用可能な変換処理は、ＦＦＴ処理だけに限定されず、他の適切な処理、例えば、ＤＣＴ（Discrete Cosine Transform）処理またはWavelet変換処理などを採用することも可能である。また、採用可能な逆変換処理は、ＩＦＦＴ処理だけに限定されず、他の適切な処理、例えば、逆ＤＣＴ処理または逆Wavelet変換処理などを採用することも可能である。
【００４３】
また、本実施の形態の無線送信装置１００および無線受信装置１５０は、シングルキャリア周波数等化技術を適用した移動通信システムに用いられる基地局装置および移動局装置のどちらにも適用することができる。
【００４４】
（実施の形態２）
図６は、本発明の実施の形態２に係る無線送信装置の構成を示すブロック図である。なお、図６の無線送信装置２００は、実施の形態１で説明した無線送信装置１００と同様の基本的構成を有しており、同一の構成要素には同一の参照符号を付し、その詳細な説明を省略する。また、実施の形態１で説明した無線受信装置１５０は、無線送信装置２００と無線通信を行うことができる。
【００４５】
無線送信装置２００は、実施の形態１で説明した制御部１０３の代わりに制御部２０１を有するほか、ＩＦＦＴ処理を施された送信信号を一時的に蓄積するバッファ２０２と、入力される指示信号に従ってオン／オフの切替を行いバッファ２０２に蓄積された送信信号をＣＰ処理部１０５に出力するスイッチ部２０３と、を加えた構成を採る。
【００４６】
また、制御部２０１は、実施の形態１で説明した乗算部１１１、１１２、送信電力制御部１１３、重み係数制御部１１４および伝搬路情報抽出部１１６のほかに、ＩＦＦＴ処理を施された送信信号のＰＡＰＲ（Peak to Average Power Ratio）と重み係数Ｗとの関係を表す関数ｇ（Ｗ）に従って、ＰＡＰＲを無線部の設定によって予め定められた値（ＰＡＰＲ設計値：例えば１０ｄＢ）以下にする重み係数Ｗの最大値を導出する重み係数導出部２１１を有する。重み係数導出部２１１は、ＩＦＦＴ処理を施された送信信号のピーク電力を検出するピーク電力検出部２１２と、ピーク電力検出部２１２からの通知信号が入力されたときに、送信電力制御に使用する重み係数Ｗを前述のＰＡＰＲ設計値に基づいて算出する重み係数算出部２１３と、を有する。
【００４７】
以下、上記構成を有する無線送信装置２００における送信電力制御動作について説明する。
【００４８】
まず、重み係数算出部２１３では、重み係数Ｗを最大値つまりＷ＝１に仮設定して重み係数制御部１１４に出力する。そして、実施の形態１で説明した送信電力制御動作に従って、送信信号の送信電力が制御される。送信電力制御された送信電力は、ＩＦＦＴ部１０４でＩＦＦＴ処理を施された後、バッファ２０２に蓄積される。また、このとき、ＩＦＦＴ処理を施された送信信号のピーク電力が、ピーク電力検出部２１２で検出される。また、ピーク電力検出部２１２では、ＰＡＰＲが算出される。
【００４９】
そして、算出されたＰＡＰＲをＰＡＰＲ設計値と比較する。この比較の結果、ＰＡＰＲがＰＡＰＲ設計値以下である場合、ピーク電力検出部２１２からスイッチ部２０３に指示
信号が入力される。こうすることによって、スイッチ部２０３がオン状態に切り替わり、バッファ２０２に蓄積された送信信号がＣＰ処理部１０５に受け渡される。また、重み係数算出部２１３には、ＰＡＰＲがＰＡＰＲ設計値以下である旨を示す通知信号が入力され、これによって、重み係数算出部２１３で設定されていた値が初期値にリセットされる。一方、比較の結果、ＰＡＰＲがＰＡＰＲ設計値を超過している場合、スイッチ部２０３をオフ状態に切り替える指示信号がピーク電力検出部２１２からスイッチ部２０３に入力される。これにより、スイッチ部２０３がオフ状態に切り替わる。また、ＰＡＰＲがＰＡＰＲ設計値を超過した旨を示す通知信号が重み係数算出部２１３に入力される。
【００５０】
そして、重み係数算出部２１３では、入力された通知信号に従って、使用する重み係数Ｗの候補として仮設定されていた値（この説明においては「１」）よりも小さい値を算出する。そして、算出された値を、使用する重み係数の次の候補として、重み係数制御部１１４に出力する。
【００５１】
すなわち、ピーク電力検出部２１２および重み係数算出部２１３を含む重み係数導出部２１１では、ＰＡＰＲを重み係数Ｗの候補に対応付けて算出する。また、候補として設定された第一の値に対応付けて算出されたＰＡＰＲがＰＡＰＲ設計値以下の場合、第一の値を重み係数Ｗとして設定する一方、第一の値に対応付けて算出されたＰＡＰＲがＰＡＰＲ設計値よりも大きい場合、第一の値よりも小さい第二の値を新たな候補として仮設定する。
【００５２】
前述の動作は、ピーク電力検出部２１２で検出されるピーク電力が所定の値になるまで繰り返される。よって、最適な重み係数Ｗをループ処理により導出することができる。また、ピーク電力が所望の値になるような最大の重み係数Ｗを検出することができ、ピーク電力の値を制御することができる。さらに、重み係数Ｗの最大値（Ｗ＝１）を候補の初期値とすることにより、最適な重み係数Ｗをループ処理において効率的に導出することができる。
【００５３】
このように、本実施の形態によれば、送信電力制御に起因して発生するＰＡＰＲの増大を抑えることができ、無線部の送信アンプの効率を向上させることができる。
【００５４】
なお、本実施の形態では、重み係数Ｗを周波数間で共通な値に設定するが、重み係数を周波数毎に個別に設定（すなわち、各周波数に対応付けられた重み係数Ｗｋを導出）しても良い。
【００５５】
また、本実施の形態では、時間軸上の信号を周波数軸上の信号に変換するための処理としてＦＦＴ処理を、周波数軸上の信号を時間軸上の信号に逆変換するための処理としてＩＦＦＴ処理を、それぞれ採用している。ただし、採用可能な変換処理は、ＦＦＴ処理だけに限定されず、他の適切な処理、例えば、ＤＣＴ処理またはWavelet変換処理などを採用することも可能である。また、採用可能な逆変換処理は、ＩＦＦＴ処理だけに限定されず、他の適切な処理、例えば、逆ＤＣＴ処理または逆Wavelet変換処理などを採用することも可能である。
【００５６】
また、本実施の形態の無線送信装置２００は、シングルキャリア周波数等化技術を適用した移動通信システムに用いられる基地局装置および移動局装置のどちらにも適用することができる。
【００５７】
また、本実施の形態で説明した重み係数導出部２１１、バッファ２０２およびスイッチ部２０３は、実施の形態１で説明した無線送信装置１００の構成と組み合わせることができる。
【００５８】
また、上記各実施の形態における基地局装置はNode Bと、移動局装置はUEと、サブキャリアはトーンと表されることがある。
【００５９】
また、上記各実施の形態の説明に用いた各機能ブロックは、典型的には集積回路であるＬＳＩとして実現される。これらは個別に１チップ化されても良いし、一部又は全てを含むように１チップ化されても良い。
【００６０】
ここでは、ＬＳＩとしたが、集積度の違いにより、ＩＣ、システムＬＳＩ、スーパーＬＳＩ、ウルトラＬＳＩと呼称されることもある。
【００６１】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００６２】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【００６３】
本明細書は、２００４年８月５日出願の特願２００４−２２９７３３に基づく。この内容はすべてここに含めておく。
【産業上の利用可能性】
【００６４】
本発明の無線送信装置および無線送信方法は、周波数等化シングルキャリア伝送システムに用いられる基地局装置または移動局装置などに適用することができる。
【図面の簡単な説明】
【００６５】
【図１】本発明の実施の形態１に係る無線送信装置の構成を示すブロック図
【図２】本発明の実施の形態１に係る無線受信装置の構成を示すブロック図
【図３】本発明の実施の形態１に係る無線送信装置における制御部の動作を説明するフロー図
【図４】本発明の実施の形態１に係る係数算出処理を説明するための図
【図５Ａ】本発明の実施の形態１に係る送信電力制御の重み付けの一例を示す図
【図５Ｂ】本発明の実施の形態１に係る送信電力制御の重み付けの他の例を示す図
【図５Ｃ】本発明の実施の形態１に係る送信電力制御の重み付けのさらに他の例を示す図
【図６】本発明の実施の形態２に係る無線送信装置の構成を示すブロック図
【図１】
0004734249.tif 000002
【図２】
0004734249.tif 000003
【図３】
0004734249.tif 000004
【図４】
0004734249.tif 000005
【図５Ａ】
0004734249.tif 000006
【図５Ｂ】
0004734249.tif 000007
【図５Ｃ】
0004734249.tif 000008
【図６】
0004734249.tif 000009